(57)【要約】【課題】画像形成装置のログイン状態を適切に管理し、ログイン中のユーザおよび健康管理端末等を所持する他のユーザの双方の利便性を高めること。【解決手段】画像形成装置３００は、カードリーダ３１０で取得したカードＩＤをもとに、カードリーダ３１０にかざされた情報取得対象物（ＩＣカード等）がログイン中のユーザに対応し、且つ、外部サーバ２００に送信すべきデータを記憶している健康管理端末４００と判定した場合には、ログイン中のユーザのログイン状態を維持可能な状態で、健康管理端末４００が記憶しているデータを外部サーバ２００に送信する。【選択図】図１
2017111590.tif 000002
【特許請求の範囲】
【請求項１】
情報取得対象物から取得される識別情報を用いてログイン可能な画像形成装置であって、
前記情報取得対象物から識別情報を取得する取得手段と、
前記取得手段で取得された前記識別情報をもとに、該情報取得対象物がログイン中のユーザに対応する情報取得対象物であるか否かを判定する第１判定手段と、
該情報取得対象物が前記画像形成装置で処理すべきデータを記憶している情報取得対象物であるか否かを判定する第２判定手段と、
前記第１判定手段で前記ログイン中のユーザに対応する情報取得対象物でないと判定され、かつ、前記第２判定手段で前記画像形成装置で処理すべきデータを記憶している情報取得対象物であると判定された第１の場合には、前記ログイン中のユーザのログイン状態を維持可能な状態で、前記情報取得対象物が記憶しているデータを処理するように制御する制御手段と、
を備えることを特徴とする画像形成装置。
【請求項２】
前記制御手段は、前記第１判定手段で前記ログイン中のユーザに対応する情報取得対象物でないと判定され、かつ、前記第２判定手段で前記画像形成装置で処理すべきデータを記憶している情報取得対象物でないと判定された第２の場合には、前記ログイン中のユーザをログアウトさせるように制御することを特徴とする請求項１に記載の画像形成装置。
【請求項３】
前記制御手段は、前記第１判定手段で前記ログイン中のユーザに対応する情報取得対象物でないと判定され、かつ、前記第２判定手段で前記画像形成装置で処理すべきデータを記憶している情報取得対象物でないと判定された第２の場合には、前記ログイン中のユーザをログアウトさせるか否かの確認画面を表示させる表示制御手段を更に備え、
前記制御手段は、前記表示制御手段で表示された前記確認画面を介して、前記ログイン中のユーザをログアウトさせる指示を受け付けた場合には、前記ログイン中のユーザをログアウトさせるよう制御することを特徴とする請求項１に記載の画像形成装置。
【請求項４】
前記制御手段は、前記第２の場合に前記ログイン中のユーザをログアウトさせた場合には、前記取得手段で取得された識別情報を用いてログイン処理を行うように制御することを特徴とする請求項２又は３に記載の画像形成装置。
【請求項５】
前記画像形成装置で処理すべきデータは、所定のサーバに送信すべきデータであり、
前記画像形成装置は、前記情報取得対象物が記憶しているデータを前記サーバに送信することを特徴とする請求項１乃至４のいずれか１項に記載の画像形成装置。
【請求項６】
前記取得手段は、近距離無線通信により前記情報取得対象物から情報を取得することを特徴とする請求項１乃至５のいずれか１項に記載の画像形成装置。
【請求項７】
前記識別情報に基づいてユーザ認証を行う認証サーバと通信可能であり、
前記第１判定手段は、前記取得手段で取得された識別情報を用いて前記認証サーバにユーザ認証を依頼し、該ユーザ認証で特定されるユーザとログイン中のユーザとを比較して、該情報取得対象物がログイン中のユーザに対応する情報取得対象物であるか否かを判定することを特徴とする請求項１乃至６のいずれか１項に記載の画像形成装置。
【請求項８】
前記情報取得対象物は、該情報取得対象物を携帯するユーザの健康管理情報を測定する健康管理端末であり、該ユーザに対応する識別情報と該測定した健康管理情報とを前記取得手段で取得可能に記憶することを特徴とする請求項１乃至７のいずれか１項に記載の画像形成装置。
【請求項９】
サーバと通信可能に設けられ、ユーザが所持する情報取得対象物から取得される識別情報を用いてログイン可能な画像形成装置の制御方法であって、
前記情報取得対象物から情報を取得する取得ステップと、
前記取得ステップで取得された識別情報をもとに、該情報取得対象物がログイン中のユーザに対応する情報取得対象物であるか否かを判定する第１判定ステップと、
該情報取得対象物が前記画像形成装置で処理すべきデータを記憶している情報取得対象物であるか否かを判定する第２判定ステップと、
前記第１判定ステップで前記ログイン中のユーザに対応する情報取得対象物でないと判定され、かつ、前記第２判定ステップで前記画像形成装置で処理すべきデータを記憶している情報取得対象物であると判定された場合には、前記ログイン中のユーザのログイン状態を維持可能な状態で、前記情報取得対象物が記憶しているデータを処理するように制御する制御ステップと、
を備えることを特徴とする画像形成装置の制御方法。
【請求項１０】
情報取得対象物から取得される識別情報を用いてログイン可能な画像形成装置に、
前記情報取得対象物から識別情報を取得する取得ステップ、
前記取得ステップで取得された前記識別情報をもとに、該情報取得対象物がログイン中のユーザに対応する情報取得対象物であるか否かを判定する第１判定ステップ、
該情報取得対象物が前記画像形成装置で処理すべきデータを記憶している情報取得対象物であるか否かを判定する第２判定ステップ、
前記第１判定ステップで前記ログイン中のユーザに対応する情報取得対象物でないと判定され、かつ、前記第２判定ステップで前記画像形成装置で処理すべきデータを記憶している情報取得対象物であると判定された場合には、前記ログイン中のユーザのログイン状態を維持可能な状態で、前記情報取得対象物が記憶しているデータを処理するように制御する制御ステップと、を実行させるためのプログラム。
【請求項１１】
情報取得対象物から取得されたデータを管理するサーバと、前記サーバと通信可能に設けられ、情報取得対象物から取得される識別情報を用いてログイン可能な画像形成装置と、を備えるシステムであって、
前記画像形成装置は、
前記情報取得対象物から識別情報を取得する取得手段と、
前記取得手段で取得された前記識別情報をもとに、該情報取得対象物がログイン中のユーザに対応する情報取得対象物であるか否かを判定する第１判定手段と、
該情報取得対象物が前記サーバに送信すべきデータを記憶している情報取得対象物であるか否かを判定する第２判定手段と、
前記第１判定手段で前記ログイン中のユーザに対応する情報取得対象物でないと判定され、かつ、前記第２判定手段で前記サーバに送信すべきデータを記憶している情報取得対象物であると判定された第１の場合には、前記ログイン中のユーザのログイン状態を維持可能な状態で、前記情報取得対象物が記憶しているデータを前記サーバに送信するように制御する制御手段と、を備え、
前記サーバは、
前記画像形成装置から受信したデータを登録する登録手段を備える、
ことを特徴とするシステム。
【請求項１２】
情報取得対象物から取得されたデータを管理するサーバと、前記サーバと通信可能に設けられ、情報取得対象物から取得される識別情報を用いてログイン可能な画像形成装置とを備えるシステムの制御方法であって、
前記画像形成装置が実行する、
前記情報取得対象物から識別情報を取得する取得ステップと、
前記取得ステップで取得された前記識別情報をもとに、該情報取得対象物がログイン中のユーザに対応する情報取得対象物であるか否かを判定する第１判定ステップと、
該情報取得対象物が前記サーバに送信すべきデータを記憶している情報取得対象物であるか否かを判定する第２判定ステップと、
前記第１判定ステップで前記ログイン中のユーザに対応する情報取得対象物でないと判定され、かつ、前記第２判定ステップで前記サーバに送信すべきデータを記憶している情報取得対象物であると判定された場合には、前記ログイン中のユーザのログイン状態を維持可能な状態で、前記情報取得対象物が記憶しているデータを前記サーバに送信するように制御する制御ステップと、
前記サーバが実行する、
前記画像形成装置から受信したデータを登録する登録ステップを備える、
ことを特徴とするシステムの制御方法。
【請求項１３】
サーバと通信可能に設けられ、情報取得対象物から取得される識別情報を用いてログイン可能な画像形成装置に、
前記情報取得対象物から識別情報を取得する取得ステップ、
前記取得ステップで取得された前記識別情報をもとに、該情報取得対象物がログイン中のユーザに対応する情報取得対象物であるか否かを判定する第１判定ステップ、
該情報取得対象物が前記サーバに送信すべきデータを記憶している情報取得対象物であるか否かを判定する第２判定ステップ、
前記第１判定ステップで前記ログイン中のユーザに対応する情報取得対象物でないと判定され、かつ、前記第２判定ステップで前記サーバに送信すべきデータを記憶している情報取得対象物であると判定された場合には、前記ログイン中のユーザのログイン状態を維持可能な状態で、前記情報取得対象物が記憶しているデータを前記サーバに送信するように制御する制御ステップと、を実行させるためのプログラムと、
前記サーバに、
前記画像形成装置から受信したデータを登録する登録ステップを実行させるためのプログラムと、
を備えることを特徴とするプログラム。
【発明の詳細な説明】
【技術分野】
【０００１】
本発明は、ＩＣカードを用いた認証によりログイン可能な画像形成装置、画像形成装置の制御方法、システム、システムの制御方法、及びプログラムに関するものである。
【背景技術】
【０００２】
ユーザの歩数や歩行時間など、ユーザが身に着けている間の運動状況を示すデータを取得して記憶することのできる健康管理端末が存在している。近年の健康志向の高まりから、このような健康管理端末で取得されるデータを蓄積して、ユーザの健康管理に役立てる仕組みが考えられている。
【０００３】
特許文献１には、認証機器により画像形成装置（プリンタ）への認証処理を行った後に、無線通信機能付きの計測器（歩数計、ヘルスメータ、体組成計、血圧計等）を用いて測定したバイタルデータ（健康データ）を、画像形成装置に取り込んで、画像形成装置内のデータベースに蓄積し、社員の健康管理を支援する健康管理システムが記載されている。
【先行技術文献】
【特許文献】
【０００４】
【特許文献１】特開２０１３−２１８５６１号公報
【発明の概要】
【発明が解決しようとする課題】
【０００５】
ところで、画像形成装置には、読み取り部を介してＩＣカードを読み取ることでユーザ認証を行い、画像形成装置にログインさせる仕組みがある。上述したような健康管理端末にＩＣカードと同様の認証機能を持たせることで、健康管理端末を用いて画像形成装置に対してログインできるようになるとともに、画像形成装置を介して健康管理端末に蓄積されたデータを外部のサーバに送付することもできるようになる。
【０００６】
しかし、上述した特許文献１の仕組みでは、必ず画像形成装置にログインしなければならない。そのため、特許文献１の仕組みでは、他のユーザが画像形成装置を利用している間には、健康管理端末に蓄積されたデータを画像形成装置に処理させることができない。ログイン中のユーザをログアウトさせてしまうと、画像形成装置を利用中であったユーザの利便性を損ねてしまうことにもなりかねない。このように、従来の技術では、ログイン中のユーザのログイン状態を維持したまま、健康管理端末を読み取り部にかざして、健康管理端末に蓄積されたデータを画像形成装置に処理させるといったことができない等の課題があった。
【０００７】
そこで、本発明の目的は、画像形成装置のログイン状態を適切に管理することができ、ログイン中のユーザおよび健康管理端末等を所持する他のユーザの双方の利便性を高めることができる仕組みを提供することである。
【課題を解決するための手段】
【０００８】
本発明は、情報取得対象物から取得される識別情報を用いてログイン可能な画像形成装置であって、前記情報取得対象物から識別情報を取得する取得手段と、前記取得手段で取得された前記識別情報をもとに、該情報取得対象物がログイン中のユーザに対応する情報取得対象物であるか否かを判定する第１判定手段と、該情報取得対象物が前記画像形成装置で処理すべきデータを記憶している情報取得対象物であるか否かを判定する第２判定手段と、前記第１判定手段で前記ログイン中のユーザに対応する情報取得対象物でないと判定され、かつ、前記第２判定手段で前記画像形成装置で処理すべきデータを記憶している情報取得対象物であると判定された第１の場合には、前記ログイン中のユーザのログイン状態を維持可能な状態で、前記情報取得対象物が記憶しているデータを処理するように制御する制御手段と、を備えることを特徴とする。
【発明の効果】
【０００９】
本発明によれば、画像形成装置のログイン状態を適切に管理することができ、ログイン中のユーザ及び他のユーザの双方の利便性を高めることが可能となる。
【図面の簡単な説明】
【００１０】
【図１】本実施例の画像形成装置を適用可能なシステムの構成図
【図２】認証サーバ、外部サーバのハードウェア構成図
【図３】画像形成装置のハードウェア構成図
【図４】健康管理端末のハードウェア構成を例示する図
【図５】本発明のシステムの機能構成図
【図６Ａ】実施例１のシステムで実行される処理のフローチャート
【図６Ｂ】実施例１のシステムで実行される処理のフローチャート
【図６Ｃ】実施例１のシステムで実行される処理のフローチャート
【図７】ログイン中でないユーザの活動量データ送信処理のフローチャート
【図８Ａ】実施例２のシステムで実行される処理のフローチャート
【図８Ｂ】実施例２のシステムで実行される処理のフローチャート
【図８Ｃ】実施例２のシステムで実行される処理のフローチャート
【図９】本実施例の表示画面を例示する図
【図１０】本実施例の認証テーブルを例示する図
【図１１】本実施例の活動量データを例示する図
【発明を実施するための形態】
【００１１】
以下、図面を参照して、発明を実施するための形態について詳細に説明する。
【実施例１】
【００１２】
図１は、本発明の一実施例を示す画像形成装置を適用可能なシステムの構成を例示する図である。
図１に示すように、本実施例のシステムは、カードリーダ３１０を備える画像形成装置３００、認証サーバ１００、外部サーバ２００、健康管理端末４００を含む。なお、認証サーバ１００は、画像形成装置３００内のサービスとして実行する構成であってもよい。
【００１３】
本実施例のシステムでは、画像形成装置３００、認証サーバ１００、外部サーバ２００がローカルエリアネットワーク（ＬＡＮ）６００を介して接続される構成となっている。なお、本実施例のシステムを構成する各機器が、ローカルネットワークに限らずインターネットを介して通信可能な構成であってもよい。
【００１４】
画像形成装置３００は、カードリーダ３１０にかざされたＩＣカードや健康管理端末４００等の情報取得対象物の識別情報（カードＩＤ）を基に、認証されたことを受けて、不図示のプリントサーバやマスストレージから、認証されたユーザに対応する印刷データを受信し、紙に出力したり、ファクスを送信したりすることが可能な装置である。即ち、画像形成装置３００は、ユーザが所持するＩＣカード等から取得されるカードＩＤを用いてログイン可能である。なお、画像形成装置３００は、カードリーダ３１０のほか、画像形成装置３００上のタッチパネルで、ソフトキーボードを用いて、ユーザＩＤとパスワードを入力し、認証を実行してログイン可能な構成となっている。
【００１５】
認証サーバ１００は、ＩＣカード認証やキーボード認証によるユーザ認証を実行するための認証テーブル（例えば後述する図１０）を記憶している。
【００１６】
健康管理端末４００は、利用者の活動量等のデータ（健康管理情報）を測定する携帯型の活動量計である。利用者が健康管理端末４００を携帯した状態で歩行や走行等を行うことで、健康管理端末４００により活動量データ（例えば後述する図１１）が測定される。
【００１７】
外部サーバ２００は、ユーザ毎に健康管理端末４００で測定された活動量データを蓄積し管理するサーバである。例えば、外部サーバ２００は、健康管理端末４００から測定された活動量データを基にユーザの健康状態に関してレポートを作成する機能などを有する。
健康管理端末２００によって画像形成装置３００にログインした場合にのみ、健康管理端末４００から取得された活動量データや、外部サーバ２００で作成されるレポートが、閲覧や印刷が可能となっている。これは活動量データやレポートはユーザの体重などのセンシティブな情報が記載されていたり、場合によってはマイナンバー等の機密情報が含まれていることもあるためである。
【００１８】
図２は、認証サーバ１００、外部サーバ２００のハードウェア構成を例示する図である。
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ Ｉｎｐｕｔ／Ｏｕｔｐｕｔ Ｓｙｓｔｅｍ）やオペレーティングシステムプログラム（以下、ＯＳ）や、各サーバ或いは各ＰＣの実行する機能を実現するために必要な各種プログラム等が記憶されている。なお、認証サーバ１００の外部メモリ２１１には、認証テーブルも記憶されている。認証テーブルの一例を図１０に示す。
【００１９】
図１０は、本実施例の認証テーブルを例示する図である。
図１０に示すように、本実施例の認証テーブルは、ユーザ名、カードＩＤ等の情報から構成されており、１のユーザ名に複数のカードＩＤ（本実施例ではＩＣカード用のカードＩＤと健康管理端末用のカードＩＤ）が紐付けられて保存されている。
【００２０】
例えば、ユーザ名「ｕｓｅｒＡ」にはＩＣカード用のカードＩＤ「０１１１１１１１１１ＡＢＣＤＥＦ」と、健康管理端末用のカードＩＤ「２２２２２２２２２ＡＢＣＤＥＦ」が対応付けられている。また、ユーザ名「ｕｓｅｒＢ」にはＩＣカード用のカードＩＤ「０１１１１１１１１１ＺＹＸＷＶＵ」と、健康管理端末用のカードＩＤ「２２２２２２２２２ＺＹＸＷＶＵ」が対応付けられている。本実施例では、健康管理端末用のカードＩＤは、上位３ケタが「２２２」のカードＩＤが割り当てられているものとする。
【００２１】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２２】
２０５は入力コントローラで、入力デバイス２０９や不図示のマウス等のポインティングデバイス等からの入力を制御する。２０６はビデオコントローラで、ディスプレイ２１０等の表示器への表示を制御する。なお、表示器は、液晶ディスプレイ、ＣＲＴ、その他の表示器であってもよい。
【００２３】
２０７はメモリコントローラで、ブートプログラム，各種のアプリケーション，フォントデータ，ユーザファイル，編集ファイル，各種データ等を記憶する外部メモリ２１１へのアクセスを制御する。外部メモリ２１１は、例えば、ハードディスク（ＨＤ）や、ソリッドステートドライブ（ＳＳＤ）、フレキシブルディスク（ＦＤ）、或いはＰＣＭＣＩＡカードスロットにアダプタを介して接続されるコンパクトフラッシュ（登録商標）メモリ等である。
【００２４】
２０８は通信Ｉ／Ｆコントローラで、ネットワーク（例えば、図１に示したＬＡＮ６００）を介して外部機器と接続・通信するものであり、ネットワークでの通信制御処理を実行する。通信Ｉ／Ｆコントローラ２０８は、例えば、ＴＣＰ／ＩＰを用いた通信等が可能である。
【００２５】
なお、ＣＰＵ２０１は、例えばＲＡＭ２０２内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。ハードウェア上で動作する各種プログラム（例えば、ブラウザ）は、外部メモリ２１１に記録されており、必要に応じてＲＡＭ２０２にロードされることによりＣＰＵ２０１によって実行されるものである。
【００２６】
図３は、画像形成装置３００のハードウェア構成を例示する図である。
図３において、コントローラユニット３０００は、画像入力デバイスとして機能するスキャナ３０１５や、画像出力デバイスとして機能するプリンタ３０１４と接続されるとともに、図１に示したＬＡＮ６００のようなローカルエリアネットワークや、例えばＰＳＴＮまたはＩＳＤＮ等の公衆回線（ＷＡＮ）と接続することで、画像データやデバイス情報の入出力を制御する。
【００２７】
図３に示すように、コントローラユニット３０００は、ＣＰＵ３００１、ＲＡＭ３００６、ＲＯＭ３００２、外部記憶装置（ハードディスクドライブ（ＨＤＤ））３００７、ネットワークインタフェース（Ｎｅｔｗｏｒｋ Ｉ／Ｆ）３００３、モデム（ＭＯＤＥＭ）３００４、操作部インタフェース（操作部Ｉ／Ｆ）３００５、外部インタフェース（外部Ｉ／Ｆ）３００９、イメージバスインタフェース（ＩＭＡＧＥ ＢＵＳ Ｉ／Ｆ）３００８、ラスタイメージプロセッサ（ＲＩＰ）３０１０、プリンタインタフェース（プリンタＩ／Ｆ）３０１１、スキャナインタフェース（スキャナＩ／Ｆ）３０１２、画像処理部３０１３等を有する。
【００２８】
ＣＰＵ３００１は、システム全体を制御するプロセッサである。ＲＡＭ３００６は、ＣＰＵ３００１が動作するためのシステムワークメモリであり、プログラムを記録するためのプログラムメモリや、画像データを一時記憶するための画像メモリである。ＲＯＭ３００２は、システムのブートプログラムや各種制御プログラムが格納されている。
【００２９】
外部記憶装置（ハードディスクドライブ（ＨＤＤ））３００７は、システムを制御するための各種プログラム、画像データ等を格納する。また、ＨＤＤ３００７は、各種テーブルを記憶している。
【００３０】
操作部インタフェース（操作部Ｉ／Ｆ）３００５は、操作部（ＵＩ）３０１８とのインタフェース部であり、操作部３０１８に表示する画像データを操作部３０１８に対して出力する。また、操作部Ｉ／Ｆ３００５は、操作部３０１８から本システム使用者が入力した情報（例えば、ユーザ情報等）をＣＰＵ３００１に伝える役割をする。なお、操作部３０１８は、タッチパネルを有する表示部を備え、該表示部に表示されたボタンを、ユーザが押下（指等でタッチ）することにより、各種指示を行うことができる。
【００３１】
ネットワークインタフェース（Ｎｅｔｗｏｒｋ Ｉ／Ｆ）３００３は、ネットワーク（ＬＡＮ）に接続し、データの入出力を行なう。モデム（ＭＯＤＥＭ）３００４は、公衆回線に接続し、ＦＡＸの送受信等のデータの入出力を行う。外部インタフェース（外部Ｉ／Ｆ）３００９は、ＵＳＢ、ＩＥＥＥ１３９４、プリンタポート、ＲＳ−２３２Ｃ等の外部入力を受け付けるインタフェース部である。本実施例では、外部Ｉ／Ｆ３００９に、認証で必要となるＩＣカード読み取り用のカードリーダ３１０が接続されている。
【００３２】
ＣＰＵ３００１は、外部Ｉ／Ｆ３００９を介してカードリーダ３１０によるＩＣカードからの情報読み取りを制御し、該ＩＣカードから読み取られた情報を取得可能である。なお、ＩＣカードに限らず、ユーザを特定することが可能な記憶媒体であれば、例えば磁気カードのような他の記憶媒体でもよい。この場合、記憶媒体には、ユーザを識別するための識別情報が記憶される。この識別情報は、記憶媒体の製造番号でも、ユーザが企業内で与えられるユーザコードであってもよい。以上のデバイスがシステムバス上に配置される。
【００３３】
一方、イメージバスインタフェース（ＩＭＡＧＥ ＢＵＳ Ｉ／Ｆ）３００８は、システムバス３０１６と画像データを高速で転送する画像バス３０１７とを接続し、データ構造を変換するバスブリッジである。画像バス３０１７は、ＰＣＩバスまたはＩＥＥＥ１３９４で構成される。画像バス３０１７上には以下のデバイスが配置される。
【００３４】
ラスタイメージプロセッサ（ＲＩＰ）３０１０は、例えば、ＰＤＬコード等のベクトルデータをビットマップイメージに展開する。プリンタインタフェース（プリンタＩ／Ｆ）３０１１は、プリンタ３０１４とコントローラユニット３０００を接続し、画像データの同期系／非同期系の変換を行う。スキャナインタフェース（スキャナＩ／Ｆ）３０１２は、スキャナ３０１５とコントローラユニット３０００を接続し、画像データの同期系／非同期系の変換を行う。
【００３５】
画像処理部３０１３は、入力画像データに対し、補正、加工、編集を行ったり、プリント出力画像データに対して、プリンタの補正、解像度変換等を行う。また、これに加えて、画像処理部３０１３は、画像データの回転や、多値画像データに対してはＪＰＥＧ、２値画像データはＪＢＩＧ、ＭＭＲ、ＭＨ等の圧縮伸張処理を行う。
【００３６】
スキャナＩ／Ｆ３０１２に接続されるスキャナ３０１５は、原稿となる紙上の画像を照明し、ＣＣＤラインセンサで走査することで、ラスタイメージデータとして電気信号に変換する。原稿用紙を原稿フィーダ（不図示）のトレイにセットし、装置使用者が操作部３０１８から読み取り起動指示することにより、ＣＰＵ３００１がスキャナ３０１５に指示を与え、フィーダが原稿用紙を１枚ずつフィードし、原稿画像の読み取り動作を行う。
【００３７】
プリンタＩ／Ｆ３０１１に接続されるプリンタ３０１４は、ラスタイメージデータを用紙上の画像に変換する部分であり、その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、ＣＰＵ３００１からの指示によって開始する。なお、プリンタ３０１４には、異なる用紙サイズまたは異なる用紙向きを選択できるように複数の給紙段を持ち、それに対応した用紙カセットがある。
【００３８】
操作部Ｉ／Ｆ３００５に接続される操作部３０１８は、液晶ディスプレイ（ＬＣＤ）表示部を有する。ＬＣＤ上にはタッチパネルシートが貼られており、システムの操作画面を表示するとともに、表示してあるキーが押されると、その位置情報を操作部Ｉ／Ｆ３００５を介してＣＰＵ３００１に伝える。また、操作部３０１８は、各種操作キー（ハードキー）として、例えば、スタートキー、ストップキー、ＩＤキー、リセットキー等を備える。
【００３９】
ここで、操作部３０１８のスタートキーは、原稿画像の読み取り動作を開始する時などに用いる。スタートキーの中央部には、緑と赤の２色のＬＥＤがあり、その色によってスタートキーが使える状態であるか否かを示す。また、操作部３０１８のストップキーは、稼動中の動作を止める働きをする。また、操作部３０１８のＩＤキーは、使用者のユーザＩＤを入力する時に用いる。リセットキーは、操作部３０１８からの設定を初期化する時に用いる。
【００４０】
外部Ｉ／Ｆ３００９に接続されるカードリーダ３１０は、ＣＰＵ３００１からの制御により、例えばソニー社のＦｅｌｉＣａ（登録商標）の技術を用いてＩＣカードや健康管理端末４００内に記憶されている情報を読み取り、該読み取った情報を外部Ｉ／Ｆ３００９を介してＣＰＵ３００１へ通知する。
以上で図３に示すハードウェア構成の説明を終了する。
【００４１】
図４は、健康管理端末４００のハードウェア構成を例示する図である。
図４（ａ）及び図４（ｂ）に示すように、健康管理端末４００は、表示部４０１、操作部４０２、制御部４０３、検出部４０４、記憶部４０５、電源部４０６、通信部４０７等を有する。
【００４２】
制御部４０３は、記憶部４０５に記憶されたプログラムを実行することで健康管理端末４００の各要素を制御するものであり、例えばＣＰＵ等で構成される。記憶部４０５は、制御部４０３が実行するプログラムや制御部４０３が使用する各種のデータを記憶するものであり、例えばフラッシュＲＯＭやＲＡＭ等で構成される。電源部４０６は例えば電池であり、健康管理端末４００の各要素に電源を供給する。
【００４３】
図４（ａ）に例示するように、健康管理端末４００の筐体前面側には、表示部４０１と、操作部４０２が設けられている。表示部４０１は例えば液晶表示パネル等であり、制御部４０３による制御のもとで各種の画像を表示する。操作部４０２は、利用者からの指示を受付ける入力機器であり、図４（ａ）に例示される通り、複数のハードキーを含んでいる。なお、表示部４０１と一体に構成されたタッチパネルを操作部４０２として利用することも可能である。
【００４４】
検出部４０４は、健康管理端末４００の移動（利用者の活動）を検出するためのセンサである。検出部４０４は、例えば、健康管理端末４００に作用する加速度Ａを検出する加速度センサ（例えば３軸型加速度センサ）で構成されている。
【００４５】
図４（ｂ）に例示するように、制御部４０３は、記憶部４０５に記憶されたプログラムを実行することで活動量測定部４０３ａとして機能する。活動量測定部４０３ａは、検出部４０４が検出した加速度Ａに応じて利用者の活動量Ｅを測定する。具体的には、活動量測定部４０３ａは、加速度Ａを適用した所定の演算で利用者の消費エネルギー等を活動量Ｅとして算定する。活動量Ｅの測定には公知の技術が任意に採用される。本実施例では、総消費エネルギー量、歩数、歩行時間などが、活動量Ｅとして算出されるものとする。活動量測定部４０３ａが算定した活動量Ｅのデータは、通信部４０７内の不図示の記憶領域に記憶される。
【００４６】
なお、通信部４０７内に記憶された活動量データを、例えば操作部４０２に対する操作を契機として表示部４０１に表示したり、カードリーダ３１０を介して画像形成装置３００に送信することが可能である。活動量データの一例を後述する図１１に示す。
なお、制御部４０３がプログラムの実行で実現する機能の一部または全部は、論理回路で構成される専用の電子回路でも実現される構成であってもよい。
【００４７】
通信部４０７は、例えばソニー社のモバイルＦｅｌｉｃａ（登録商標）ＩＣチップ等の無線モジュールであり、通信制御部４０７ａとアンテナ４０７ｂとを有する。通信制御部４０７ａは、内部に不図示の記憶領域を有し、カードＩＤや活動量データ等を記憶する。なお、通信制御部４０７ａ内に記憶されるカードＩＤは、本実施例では、上位３ケタが「２２２」のカードＩＤとする。また、活動量データとしては、図１１に示すようなデータ記憶されているものとする。
【００４８】
図１１は、健康管理端末４００の通信部４０７内の不図示の記憶領域に記憶される活動量データを例示する図である。
図１１に示すように、活動量データは、総消費エネルギー、歩数、歩行時間、送信日時などのデータから構成されている。なお、送信日時は、該活動量データが画像形成装置３００を介して外部サーバ２００に送信された日時であり、画像形成装置３００から書き込まれるものである。
【００４９】
通信部４０７は、アンテナ４０７ｂを介したカードリーダ３１０との近距離無線通信（非接触通信）を実行し、通信制御部４０７ａ内の記憶領域（不図示）に記憶されたカードＩＤや活動量データ等を、画像形成装置３００に送信することが可能である。なお、上記説明では、活動量データを通信制御部４０７ａ内の記憶領域に記憶するものとしたが、記憶部４０５に記憶し、通信部４０７を介して画像形成装置３００に送信するように構成してもよい。
【００５０】
図５は、本発明のシステムの機能構成を例示する図である。
画像形成装置３００において、情報取得部３３１は、カードリーダ３１０にかざされているＩＣカードや健康管理端末４００等の情報取得対象物からカードＩＤ等の情報を取得する。ログイン制御部３３３は、カードＩＤを用いたユーザ認証を認証サーバ１００に依頼し、該認証サーバ１００による認証結果に基づいてログイン処理を行う。また、ログイン制御部３３３は、後述するフローチャートの示すような、ログイン中のユーザとは異なるユーザの情報取得対象物がかざされた場合の各種ログイン制御を行う。
【００５１】
ユーザ判定部３３４は、カードリーダ３１０にかざされている情報取得対象物がログイン中のユーザに対応する情報取得対象物であるか否かを判定する。活動量計判定部３３５は、カードリーダ３１０にかざされている情報取得対象物が外部サーバ２００に送信すべき活動量データを記憶している健康管理端末４００であるか否かを判定する。活動量データ送信制御部３３６は、健康管理端末４００から取得される活動量データの外部サーバ２００への送信を制御する。画面表示制御部３３７は、後述する図９に示すような画面を表示制御する。
【００５２】
認証サーバ１００において、認証データ管理部１０２は、図１０に示すような認証テーブルを記憶管理する。認証処理部１０１は、画像形成装置３００から受信したカードＩＤと認証テーブルを用いてユーザ認証処理を行う。
外部サーバ２００において、活動量データ登録部２２１は、画像形成装置３００から受信した活動量データをデータベース等に登録し管理する。
なお、健康管理端末４００における、制御部４０３、検出部４０４、通信部４０７は、図４で説明済みのため省略する。
【００５３】
以下、図６Ａ〜図６Ｃを参照して、実施例１のシステムで実行される処理について説明する。
図６Ａ〜図６Ｃは、実施例１のシステムで実行される処理を例示するフローチャートである。なお、ステップＳ１００１〜Ｓ１０２８、ステップＳ１１０１〜Ｓ１１０６に示す画像形成装置３００の処理は、画像形成装置３００のＣＰＵ３００１がＲＯＭ３００２等に格納されたプログラムを実行することにより実現される。また、ステップＳ２００１〜Ｓ２００４に示す認証サーバ１００の処理は、認証サーバ１００のＣＰＵ２０１が外部メモリ２１１等に格納されたプログラムを実行することにより実現される。さらに、ステップＳ３００１〜Ｓ３００２に示す外部サーバ２００の処理は、外部サーバ２００のＣＰＵ２０１が外部メモリ２１１等に格納されたプログラムを実行することにより実現される。
【００５４】
ステップＳ１００１では、画像形成装置３００は、ＩＣカードをかざして複合機にログインする旨を表示した認証画面を表示する。なお、ステップＳ１００１の時点では、画像形成装置３００にログインしているユーザはいないものとする。
【００５５】
ステップＳ１００２では、画像形成装置３００は、ユーザによってＩＣカードがカードリーダ３１０にかざされたか定期的に検知する処理を実行する。画像形成装置３００は、ＩＣカードがかざされたことを検知するまで、ステップＳ１００２の処理を繰り返す。
そして、ＩＣカードがかざされことを検知した場合、画像形成装置３００は、ステップＳ１００３へ処理を移す。
【００５６】
ステップＳ１００３では、画像形成装置３００は、カードリーダ３１０を介して、ユーザによってかざされたＩＣカードのカードＩＤを取得する。
次に、ステップＳ１００４では、画像形成装置３００は、上記ステップＳ１００３で取得したカードＩＤを、認証サーバ１００に対して送信する。
【００５７】
ステップＳ２００１では、認証サーバ１００は、画像形成装置３００から送信されたカードＩＤを受信すると、該受信したカードＩＤを、ＩＣカード認証用テーブルのカードＩＤと照合することにより認証処理を行う（カードＩＤを使用して検索を行い、該当するユーザ情報の取得を行う）。
次に、ステップＳ２００２では、認証サーバ１００は、上記ステップＳ２００１での認証結果を画像形成装置３００に対して送信する。なお、認証サーバ１００は、認証に成功した場合、認証結果に該当するユーザの情報を含めて、画像形成装置３００に送信するものとする。
【００５８】
ステップＳ１００５において、画像形成装置３００は、認証サーバ１００から送信された認証結果を受信すると、ステップＳ１００６へ処理を移す。
ステップＳ１００６では、画像形成装置３００は、上記ステップＳ１００５で受信した認証結果を判定する。そして、認証に失敗したと判定した場合（Ｓ１００６でＮｏの場合）、画像形成装置３００は、ステップＳ１１０１へ処理を移す。
ステップＳ１１０１では、画像形成装置３００は、認証失敗画面（不図示）を表示し、本フローチャートの処理を終了する。
【００５９】
一方、上記ステップＳ１００６において、認証に成功したと判定した場合（Ｓ１００６でＹｅｓの場合）、画像形成装置３００は、ステップＳ１００７へ処理を移す。
ステップＳ１００７では、画像形成装置３００は、上記ステップＳ１００５で受信した認証結果に含まれるユーザ情報を画像形成装置３００内の特定の記憶領域に格納する。
次に、ステップＳ１００８では、画像形成装置３００は、上記ステップＳ１００３で取得したカードＩＤを画像形成装置３００内の特定の記憶領域に格納する。
【００６０】
ステップＳ１００９では、画像形成装置３００は、画像形成装置３００内の特定領域に格納したユーザ情報で画像形成装置３００にログインを行う。
ステップＳ１０１０では、画像形成装置３００は、ログイン後の画面としてメニュー画面（例えば後述する図９に示す画面Ａ）を表示する。
図９は、本実施例においてディスプレイ２１０に表示される画面を例示する図である。
【００６１】
ステップＳ１０１１では、画像形成装置３００は、画像形成装置３００の特定領域に格納したカードＩＤを参照し、カード検知時にかざされたカードが活動量計（健康管理端末４００）であるか否かを確認する。ここでは、カードＩＤに健康管理端末４００を示す識別子（本実施例では上位３ケタが「２２２」）があるか否かで判定するものとするが、カードリーダ３１０を介して取得できる情報であればどのような情報に基づいて確認してもよい。
【００６２】
そして、かざされたカードが活動量計（健康管理端末４００）でないと判定した場合（Ｓ１０１１でＮｏの場合）、画像形成装置３００は、ステップＳ１０１７へ処理を移す。ステップＳ１０１７については後述する。
一方、かざされたカードが活動量計（健康管理端末４００）であると判定した場合（Ｓ１０１１でＹｅｓの場合）、画像形成装置３００は、ステップＳ１０１２へ処理を移す。
【００６３】
ステップＳ１０１２では、画像形成装置３００は、カードリーダ３１０にかざされた健康管理端末４００に、未送信の活動量データが存在するか否かを確認する。未送信の活動量データの存在は、例えば、活動量データに記載されている送信日時に基づいて判断してもよいし、他の方法で判断してもよい。
【００６４】
図１１は、健康管理端末４００内に記憶されている活動量データを例示する図である。
図１１に示すように、活動量データは、総消費エネルギー、活動エネルギー量、歩数、歩行時間、送信日時などのデータから構成されている。なお、送信日時は、該活動量データが画像形成装置３００を介して外部サーバ２００に送信された日時であり、画像形成装置３００から書き込まれるものとする。
【００６５】
上記ステップＳ１０１２において、未送信の活動量データが存在しないと判定した場合（Ｓ１０１２でＮｏの場合）、画像形成装置３００は、ステップＳ１０２７へ処理を移す。なお、ステップＳ１０２７については後述する。
【００６６】
一方、未送信の活動量データが存在すると判定した場合（Ｓ１０１２でＹｅｓの場合）、画像形成装置３００は、ステップＳ１０１３へ処理を移す。
ステップＳ１０１３では、画像形成装置３００は、カードリーダ３１０を介して、上記未送信の活動量データを健康管理端末４００から取得し、該取得した活動量データを、外部サーバ２００に送信する。
【００６７】
ステップＳ３００１において、外部サーバ２００は、画像形成装置３００から活動量データを受信すると、ステップＳ３００２へ処理を移す。
ステップＳ３００２では、外部サーバ２００は、上記ステップＳ３００１で受信した活動量データを、外部サーバ２００が管理する特定の記憶領域に登録し、該登録結果を画像形成装置３００に送信する。
【００６８】
ステップＳ１０１３の後、ステップＳ１０１４において、画像形成装置３００は、該活動量データを送信した日時を、該送信した活動量データの送信日時として、カードリーダ３１０を介して、健康管理端末４００内に記憶されている活動量データ内に書き込む。
次に、ステップＳ１０１５において、画像形成装置３００は、メニュー画面の「活動量データ送信」ボタン９０１が押下されたか否かを確認する。そして、「活動量データ送信」ボタン９０１が押下されたと判定した場合（Ｓ１０１５でＹｅｓの場合）、画像形成装置３００は、ステップＳ１１０７へ処理を移す。
【００６９】
ステップＳ１１０７では、画像形成装置は、活動量データの送信状態確認画面を表示する。なお、活動量データの送信完了前（外部サーバ２００から活動量データの登録結果を受信する前）では、活動量データの送信状態確認画面として図９の画面Ｂを表示する。一方、活動量データの送信完了後（外部サーバ２００から活動量データの登録結果を受信した後）では、活動量データの送信状態確認画面として画面Ｃを表示する。活動量データの送信状態確認画面において「ＯＫ」ボタン（画面Ｂの場合９１１、画面Ｃの場合９２１）が押下されると、画像形成装置３００は、ステップＳ１０１６へ処理を移す。
【００７０】
一方、「活動量データ送信」ボタン９０１が押下されていないと判定した場合（Ｓ１０１５でＮｏの場合）、画像形成装置３００は、そのままステップＳ１０１６へ処理を移す。
【００７１】
ステップＳ１０１６では、画像形成装置３００は、カードリーダ３１０の読み取り領域から健康管理端末４００（活動量計）が外されたか否かを確認する。
そして、健康管理端末４００（活動量計）が外されていないと判定した場合（Ｓ１０１６でＮｏの場合）、画像形成装置３００は、健康管理端末４００（活動量計）がカードリーダ３１０の読み取り領域から外されるまで、ステップＳ１０１６の処理を継続する。なお、ステップＳ１０１６の処理を継続中であっても、画像形成装置３００は、画像形成装置３００上の操作（コピー、プリント、ログアウト等）に対しても処理を実行可能である。
【００７２】
一方、健康管理端末４００（活動量計）が外されたと判定した場合（Ｓ１０１６でＹｅｓの場合）、画像形成装置３００は、ステップＳ１０２８へ処理を移し、ログアウトを行い、本フローチャートの処理を終了する。
このように、健康管理端末４００がカードリーダ３１０の読み取り領域から外された場合にはログイン中の画像形成装置３００をログアウトさせることにより、例えばユーザの健康状態を示すレポートなど、健康管理端末４００でログイン中のユーザのみに閲覧させたい情報が、ログイン中のユーザのログアウト処理のし忘れ等によって他のユーザに閲覧されてしまうことを防ぐ効果がある。更に、健康管理端末４００から活動量データを取得して処理が完了するのに時間が掛かるため、カードリーダ３１０にかざし続けなければ画像形成装置３００のログイン状態を維持できないようにすることで、活動量データを取得して処理が完了する前にカードリーダ３１０から健康管理端末４００がユーザに外されないようにする効果がある。
なお、カードリーダ３１０の読み取り領域から健康管理端末４００（活動量計）が外されたか否かの判定は、読み取り領域から健康管理端末４００（活動量計）が外されて所定時間経過した場合に、カードリーダ３１０の読み取り領域から健康管理端末４００（活動量計）が外されたと判定するようにしてもよい。
【００７３】
また、上述したように、上記ステップＳ１０１１において、かざされたＩＣカードが活動量計（健康管理端末４００）でないと判定した場合（Ｓ１０１１でＮｏの場合）、画像形成装置３００は、ステップＳ１０１７へ処理を移す。
【００７４】
そして、ステップＳ１０１７では、画像形成装置３００は、画像形成装置３００の特定領域に格納したカードＩＤと異なるカードＩＤのカードがかざされていることを検知した（異なるカードを検知した）か否かを判定する。つまり、健康管理端末４００によるログインではない場合（ＩＣカードによるログインの場合）には、カードリーダ３１０からＩＣカードが外されたとしてもログアウトされることなくログイン状態を継続するようになっている。ここでは、一度ＩＣカードが外されたあと、異なるカードＩＤのＩＣカードがかざされたか否かを判定している。
そして、同じカードＩＤのカードがかざされている（異なるカードを検知していない）と判定した場合（Ｓ１０１７でＮｏの場合）、画像形成装置３００は、ステップＳ１０２７へ処理を移す。ステップＳ１０２７については後述する。
【００７５】
一方、画像形成装置３００の特定領域に格納したカードＩＤと異なるカードＩＤのカードがかざされていることを検知した（異なるカードを検知した）と判定した場合（Ｓ１０１７でＹｅｓの場合）、画像形成装置３００は、ステップＳ１０１８へ処理を移す。
【００７６】
ステップＳ１０１８では、画像形成装置３００は、カードリーダ３１０を介して、ユーザによってかざされているＩＣカードのカードＩＤを取得する。
次に、ステップＳ１１０９では、画像形成装置３００は、上記ステップＳ１１０８で取得したカードＩＤを、認証サーバ１００に対して送信する。
【００７７】
ステップＳ２００３では、認証サーバ１００は、画像形成装置３００から送信されたカードＩＤを受信すると、該受信したカードＩＤを、ＩＣカード認証用テーブルのカードＩＤと照合することにより認証処理を行う（カードＩＤを使用して検索を行い、該当するユーザ情報の取得を行う）。
次に、ステップＳ２００４では、認証サーバ１００は、上記ステップＳ２００３での認証結果を画像形成装置３００に対して送信する。
【００７８】
ステップＳ１０２０において、画像形成装置３００は、認証サーバ１００から送信された認証結果を受信すると、ステップＳ１０２１へ処理を移す。
ステップＳ１０２１では、画像形成装置３００は、上記ステップＳ１０２０で受信した認証結果を判定する。そして、認証に失敗したと判定した場合（Ｓ１０２１でＮｏの場合）、画像形成装置３００は、ステップＳ１１０２へ処理を移す。
Ｓ１１０２では、画像形成装置３００は、ログアウトを行い、Ｓ１１０３において、認証失敗画面（不図示）を表示し、本フローチャートの処理を終了する。
【００７９】
一方、上記ステップＳ１０２１において、認証に成功したと判定した場合（Ｓ１０２１でＹｅｓの場合）、画像形成装置３００は、ステップＳ１０２２へ処理を移す。
ステップＳ１０２２では、画像形成装置３００は、かざされているカードがログイン中のユーザと異なるユーザのカードか否かを判定する。ログイン中のユーザと異なるか否かを判定する方法は、例えば、上記ステップＳ１０２０で受信した認証結果に含まれるユーザ情報と、画像形成装置３００内の特定領域に格納されているユーザ情報とを比較することにより判定する。
【００８０】
そして、ログイン中のユーザと同じユーザのカードである（異なるユーザのカードでない）と判定した場合（Ｓ１０２２でＮｏの場合）、画像形成装置３００は、ステップＳ１１０４に処理を移す。
ステップＳ１１０４では、画像形成装置３００は、上記ログイン中のユーザと同じユーザのカードから取得したカードＩＤを画像形成装置３００内の特定の記憶領域に格納し、ステップＳ１０１１へ処理を移す。
【００８１】
一方、ログイン中のユーザとは異なるユーザのカードであると判定した場合（Ｓ１０２２でＹｅｓの場合）、画像形成装置３００は、ステップＳ１０２３に処理を移す。
次に、ステップＳ１０２３では、画像形成装置３００は、上記ステップＳ１０１７のカード検知時にかざされたカードが健康管理端末４００（活動量計）であるか否かを確認する。具体的には、カードＩＤに健康管理端末４００を示す識別子（本実施例では上位３ケタが「２２２」）があるか否かで判定する。
【００８２】
そして、かざされたカードが活動量計（健康管理端末４００）でないと判定した場合（Ｓ１０２３でＮｏの場合）、画像形成装置３００は、ステップＳ１１０５へ処理を移す。
ステップＳ１１０５では、画像形成装置３００は、ログアウト処理を行い、ステップＳ１００７へ処理を移し、上述の異なるユーザでログインを行うように制御する。
【００８３】
一方、かざされたカードが活動量計（健康管理端末４００）であると判定した場合（Ｓ１０２３でＹｅｓの場合）、画像形成装置３００は、ステップＳ１０２４へ処理を移す。
ステップＳ１０２４では、画像形成装置３００は、健康管理端末４００をかざした時の確認画面（例えば図９の画面Ｄ）を表示する。
【００８４】
次に、ステップＳ１０２５では、画像形成装置３００は、上記ステップＳ１０２４で表示した健康管理端末４００をかざした時の確認画面で「再ログイン」ボタン９３１、「送信する」ボタン９３２のいずれのボタンが押下されたかを確認する。
【００８５】
そして、「再ログイン」ボタン９３１が押下されたと判定した場合（Ｓ１０２５で「再ログイン」の場合）、画像形成装置３００は、ステップＳ１１０６へ処理を移す。
ステップＳ１１０６では、画像形成装置３００は、ログアウト処理を行い、ステップＳ１００７へ処理を移し、上述の異なるユーザで再ログインを行うように制御する。
【００８６】
一方、「送信する」ボタン９３１が押下されたと判定した場合（Ｓ１０２５で「送信する」の場合）、画像形成装置３００は、ステップＳ１０２６へ処理を移す。
ステップＳ１０２６では、画像形成装置３００は、ログイン中でないユーザの活動量データ送信処理（詳細は図７で後述する）を実行し、ステップＳ１０２７へ処理を移す
【００８７】
ステップＳ１０２７では、画像形成装置３００は、その他操作でログアウトが選択されたか否かを判定する。画像形成装置３００上のログアウト操作とは、例えば画像形成装置３００上の「ログアウト」キー９０２を押下された場合などである。
【００８８】
そして、ログアウトが選択されたと判定した場合（Ｓ１０２７でＹｅｓの場合）、画像形成装置３００は、ステップＳ１０２８へ処理を移す。ステップＳ１０２８では、画像形成装置３００は、ログアウト処理を行い、本フローチャートの処理を終了する。
【００８９】
一方、ログアウトが選択されていないと判定した場合（Ｓ１０２７でＮｏの場合）、画像形成装置３００は、ステップＳ１０１１へ処理を移し、操作を継続可能に制御する。
【００９０】
以下、図７を参照して、ログイン中でないユーザの活動量データ送信処理を説明する。
図７は、図６ＣのステップＳ１０２６に示したログイン中でないユーザの活動量データ送信処理を例示するフローチャートである。なお、ステップＳ１〜Ｓ６に示す画像形成装置３００の処理は、画像形成装置３００のＣＰＵ３００１がＲＯＭ３００２等に格納されたプログラムを実行することにより実現される。また、ステップＳ３００４〜Ｓ３００５に示す外部サーバ２００の処理は、外部サーバ２００のＣＰＵ２０１が外部メモリ２１１等に格納されたプログラムを実行することにより実現される。
【００９１】
ステップＳ１では、画像形成装置３００は、カードリーダ３１０にかざされている健康管理端末４００に、未送信の活動量データが存在するか否かを確認する。未送信の活動量データの存在は、例えば、活動量データに記載されている送信日時に基づいて判断してもよいし、他の方法で判断してもよい。そして、未送信の活動量データが存在しないと判定した場合（Ｓ１でＮｏの場合）、画像形成装置３００は、図６ＣのステップＳ１０２７へ処理を移す。
【００９２】
一方、未送信の活動量データが存在すると判定した場合（Ｓ１でＹｅｓの場合）、画像形成装置３００は、ステップＳ２へ処理を移す。
ステップＳ２では、画像形成装置３００は、上記未送信の活動量データを健康管理端末４００から取得する。
次に、ステップＳ３では、画像形成装置３００は、上記ステップＳ２で取得した活動量データを、外部サーバ２００に送信する。さらに、画像形成装置３００は、該活動量データを送信した日時を、該送信した活動量データの送信日時として、カードリーダ３１０を介して、健康管理端末４００内に記憶されている活動量データ内に書き込む。
【００９３】
ステップＳ３００４において、外部サーバ２００は、画像形成装置３００から活動量データを受信すると、ステップＳ３００５へ処理を移す。
ステップＳ３００５では、外部サーバ２００は、上記ステップＳ３００４で受信した活動量データを、外部サーバ２００が管理する特定の記憶領域に登録し、該登録結果を画像形成装置３００に送信する。
【００９４】
ステップＳ３の後、ステップＳ４において、画像形成装置３００は、該活動量データを送信した日時を、該送信した活動量データの送信日時として、カードリーダ３１０を介して、健康管理端末４００内に記憶されている活動量データ内に書き込む。
次に、ステップＳ５において、画像形成装置３００は、メニュー画面の「活動量データ送信」ボタン９０１が押下されたか否かを確認する。そして、「活動量データ送信」ボタン９０１が押下されたと判定した場合（Ｓ５でＹｅｓの場合）、画像形成装置３００は、ステップＳ７へ処理を移す。
【００９５】
ステップＳ７では、画像形成装置は、活動量データの送信状況を画面に表示する。なお、活動量データの送信完了前（外部サーバ２００から活動量データの登録結果を受信する前）では画面Ｂを表示する。一方、活動量データの送信完了後（外部サーバ２００から活動量データの登録結果を受信した後）では画面Ｃを表示する。ステップＳ７の後、画像形成装置３００は、ステップＳ６へ処理を移す。
【００９６】
一方、「活動量データ送信」ボタン９０１が押下されていないと判定した場合（Ｓ５でＮｏの場合）、画像形成装置３００は、そのままステップＳ６へ処理を移す。
【００９７】
ステップＳ６では、画像形成装置３００は、カードリーダ３１０の読み取り領域から健康管理端末４００（活動量計）が外されたか否かを確認する。
そして、健康管理端末４００（活動量計）が外されていないと判定した場合（Ｓ６でＮｏの場合）、画像形成装置３００は、健康管理端末４００（活動量計）がカードリーダ３１０の読み取り領域から外されるまで、ステップＳ６の処理を継続する。なお、ステップＳ６の処理を継続中であっても、画像形成装置３００は、画像形成装置３００上の操作（コピー、プリント、ログアウト等）に対しても処理を実行可能である。
【００９８】
一方、健康管理端末４００（活動量計）が外されたと判定した場合（Ｓ６でＹｅｓの場合）、画像形成装置３００は、本フローチャートの処理を終了し、ステップＳ１０２７へ処理を移す。
【００９９】
なお、本実施例では、健康管理端末４００内の情報を外部サーバ２００に送信する構成について説明したが、健康管理端末４００内のデータに対して画像形成装置３００内で所定の処理を行う構成であってもよい。例えば、健康管理端末４００内のデータを画像形成装置３００のＨＤＤ３００７に格納する、加工する等でもよい。
【０１００】
以上示したように、実施例１の画像形成装置３００は、カードリーダ３１０で取得したカードＩＤをもとに、カードリーダ３１０にかざされた情報取得対象物がログイン中のユーザに対応し、且つ、画像形成装置３００で処理すべきデータ（例えば、外部サーバ２００に送信すべきデータ）を記憶している健康管理端末４００と判定した場合には、ログイン中のユーザのログイン状態を維持可能に制御しつつ、健康管理端末４００が記憶しているデータを処理する（例えば、外部サーバ２００に送信する）ように制御する。この構成により、ログイン中のユーザとは異なるユーザの健康管理端末４００等が画像形成装置のカードリーダにかざされた場合でも、画像形成装置のログイン状態を適切に管理したまま、健康管理端末４００内の情報を適切に処理することができる。よって、画像形成装置３００のログイン状態を適切に管理することができ、ログイン中のユーザおよび健康管理端末４００等を所持する他のユーザの双方の利便性を高めることができる。
【実施例２】
【０１０１】
図８Ａ〜図８Ｃは、実施例２のシステムで実行される処理を例示するフローチャートである。なお、図８Ａ〜図８ＣのステップＳ４００１〜Ｓ４０２３、Ｓ４０２６〜Ｓ４０２８、Ｓ４１０１〜Ｓ４１０５、Ｓ４１０７、Ｓ５００１〜Ｓ５００４、Ｓ６００１〜Ｓ６００２は、実施例１の図６Ａ〜図６ＣのステップＳ１００１〜Ｓ１０２３、Ｓ１０２６〜Ｓ１０２８、Ｓ１１０１〜Ｓ１１０５、Ｓ１１０７、Ｓ２００１〜Ｓ２００４、Ｓ３００１〜Ｓ３００２とそれぞれ同一のステップであるので、説明は省略する。以下、実施例１と異なる部分のみ説明する。
【０１０２】
実施例２の図８Ａ〜図８Ｃは、実施例１の図６Ａ〜図６ＣからステップＳ１０２４，Ｓ１０２５，Ｓ１１０６に対応するステップを除いたものである。即ち、図８ＢのステップＳ４０２３において、画像形成装置３００が、ステップＳ４０１７のカード検知時にかざされたカードが健康管理端末４００（活動量計）であると判定した場合（Ｓ４０２３でＹｅｓの場合）、図８ＣのステップＳ４０２６へ処理を移す。
【０１０３】
上述した実施例１では、健康管理端末４００をかざされた際に、ユーザに確認画面（例えば図９の画面Ｄ）を表示する構成であった。これは、ログアウトを実行せずに立ち去ったユーザのログイン状態が残ったままの状態の画像形成装置３００に、別のユーザが再ログインすべく健康管理端末４００をかざした場合に、図９の画面Ｄのような確認画面を表示することにより、上記ログイン状態のユーザをログアウトさせて別のユーザがログインでき、健康管理端末４００を用いてログインしたい別のユーザの利便性を高めるためである。
【０１０４】
一方、実施例２では、図９の画面Ｄのような確認画面を表示せず、ログイン済みのユーザのログイン状態を継続させたまま、健康管理端末４００内の活動量データを処理（例えば外部サーバ２００に送信する）ことができるため、ログイン中が継続して画像形成装置３００を使用でき、ログイン中のユーザの利便性を高めることができる。
【０１０５】
なお、上記各実施例で説明した健康管理端末４００の代わりに、近距離無線通信機能を有するスマートフォンや携帯電話等の他の装置であってもよい。
【０１０６】
以上示したように、本発明によれば、ログイン中のユーザとは異なるユーザの情報取得対象物が画像形成装置のカードリーダにかざされた場合でも、画像形成装置のログイン状態を適切に管理することができ、ログイン中のユーザおよび健康管理端末等を所持する他のユーザの双方の利便性を高めることが可能となる。
【０１０７】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１０８】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１０９】
１００    認証サーバ
２００    外部サーバ
３００    画像形成装置
３１０    カードリーダ
４００    健康管理端末
【図１】
2017111590.tif 000003
【図２】
2017111590.tif 000004
【図３】
2017111590.tif 000005
【図４】
2017111590.tif 000006
【図５】
2017111590.tif 000007
【図６Ａ】
2017111590.tif 000008
【図６Ｂ】
2017111590.tif 000009
【図６Ｃ】
2017111590.tif 000010
【図７】
2017111590.tif 000011
【図８Ａ】
2017111590.tif 000012
【図８Ｂ】
2017111590.tif 000013
【図８Ｃ】
2017111590.tif 000014
【図９】
2017111590.tif 000015
【図１０】
2017111590.tif 000016
【図１１】
2017111590.tif 000017